(57)【要約】【課題】異常に高温になった部分を効率よく冷却することができる記録ヘッド冷却装置、その冷却方法及び記録装置を提供する。【解決手段】記録ヘッド１８が搭載されるキャリッジ或いは記録ヘッド１８の放熱器６１のいずれかに取り付けられた冷却ファン６２と、この冷却ファン６２の放熱器６１に向かう風向を変化させる手段とを備えた。【選択図】      図４
2004255652.tif 000002
【特許請求の範囲】
【請求項１】
記録ヘッドが搭載されるキャリッジ或いは記録ヘッドの放熱器のいずれかに取り付けられた冷却ファンと、
この冷却ファンの前記放熱器に向かう風向を変化させる手段とを備えたことを特徴とする記録ヘッド冷却装置。
【請求項２】
前記手段は、前記冷却ファンの前記放熱器に対する位置を変化させることを特徴とする請求項１記載の記録ヘッド冷却装置。
【請求項３】
前記手段は、前記冷却ファンの前記放熱器に対する角度を変化させることを特徴とする請求項１記載の記録ヘッド冷却装置。
【請求項４】
前記手段は、前記冷却ファンの吹出口に設けられて風向を変化させることを特徴とする請求項１記載の記録ヘッド冷却装置。
【請求項５】
前記手段は、前記放熱器の片寄った温度上昇の程度に応じて前記放熱器に向かう風向を変化させることを特徴とする請求項１乃至４のいずれか一項記載の記録ヘッド冷却装置。
【請求項６】
記録ヘッドが搭載されるキャリッジ或いは記録ヘッドの放熱器のいずれかに取り付けられた冷却ファンを備え、
前記放熱器の片寄った温度上昇の程度に応じて、
この冷却ファンの前記放熱器に向かう風向を変化させることを特徴とする記録ヘッド冷却方法。
【請求項７】
前記冷却ファンの前記放熱器に対する位置を変化させることを特徴とする請求項６記載の記録ヘッド冷却方法。
【請求項８】
前記冷却ファンの前記放熱器に対する角度を変化させることを特徴とする請求項６記載の記録ヘッド冷却方法。
【請求項９】
前記冷却ファンの吹出口に設けたルーバにより風向を変化させることを特徴とする請求項６記載の記録ヘッド冷却方法。
【請求項１０】
記録ヘッドとプラテンとの間に搬送されたシートに、記録ヘッドの記録ワイヤを、インクリボンを介して打ち付けて、当該シートに画像を記録する記録装置において、
記録ヘッドが搭載されるキャリッジ或いは記録ヘッドの放熱器のいずれかに取り付けられた冷却ファンと、
この冷却ファンの前記放熱器に向かう風向を変化させる手段とを備えたことを特徴とする記録装置。
【請求項１１】
前記手段は、前記冷却ファンの前記放熱器に対する位置を変化させることを特徴とする請求項１０記載の記録装置。
【請求項１２】
前記手段は、前記冷却ファンの前記放熱器に対する角度を変化させることを特徴とする請求項１０記載の記録装置。
【請求項１３】
前記手段は、前記冷却ファンの吹出口に設けられて風向を変化させることを特徴とする請求項１２記載の記録装置。
【請求項１４】
前記手段は、前記放熱器の片寄った温度上昇の程度に応じて前記放熱器に向かう風向を変化させることを特徴とする請求項１０乃至１３のいずれか一項記載の記録装置。
【発明の詳細な説明】
【０００１】
【発明の属する技術分野】
本発明は、冷却ファンを備えた記録ヘッド冷却装置、その冷却方法及び記録装置に関する。
【０００２】
【従来の技術】
一般に、記録ヘッドとプラテンとの間に搬送されたシートに、記録ヘッドの記録ワイヤを、インクリボンを介して打ち付けて、当該シートに画像を記録する、例えば、ドットインパクトプリンタなどの記録装置が知られている。
【０００３】
この種のものでは、ドットインパクト時に、記録ヘッドの記録ワイヤのコイルに通電されて、励磁熱が発生する。これを放熱するため、放熱器が設置されているが、高スピード、高コピー能力を要求されるプリンタでは、発熱量が多すぎて十分に放熱できない場合が生じる。
【０００４】
これを解消するため、従来、放熱器回りに固定された冷却ファンによって、当該放熱器に冷却風を吹き付けて、記録ヘッドを冷却する冷却装置が提案されている（例えば、引用文献１）。
【０００５】
【特許文献１】
特開平５−２４６１１６号公報（第２頁、第１図）
【０００６】
【発明が解決しようとする課題】
しかしながら、従来の構成では、冷却ファンが固定であるため、的確な冷却効果が得られないという問題があった。
【０００７】
記録ヘッドの記録ワイヤは複数本配置されており、記録内容によっては記録ワイヤが片寄って使用され、その結果、発熱部分も片寄って一部が異常に高温になることが考えられる。この場合、冷却ファンが固定では、放熱器が、まんべんなく冷却されたにせよ、異常に高温になった部分を効率よく冷却することができないという問題があった。
【０００８】
そこで、本発明の目的は、上述した従来の技術が有する課題を解消し、異常に高温になった部分を効率よく冷却することができる記録ヘッド冷却装置、その冷却方法及び記録装置を提供することにある。
【０００９】
【課題を解決するための手段】
請求項１記載の発明は、記録ヘッドが搭載されるキャリッジ或いは記録ヘッドの放熱器のいずれかに取り付けられた冷却ファンと、この冷却ファンの前記放熱器に向かう風向を変化させる手段とを備えたことを特徴とする。
【００１０】
請求項２記載の発明は、請求項１記載のものにおいて、前記手段は、前記冷却ファンの前記放熱器に対する位置を変化させることを特徴とする。
【００１１】
請求項３記載の発明は、請求項１記載のものにおいて、前記手段は、前記冷却ファンの前記放熱器に対する角度を変化させることを特徴とする。
【００１２】
請求項４記載の発明は、請求項１記載のものにおいて、前記手段は、前記冷却ファンの吹出口に設けられて風向を変化させることを特徴とする。
【００１３】
請求項５記載の発明は、請求項１乃至４のいずれか一項記載のものにおいて、前記手段は、前記放熱器の片寄った温度上昇の程度に応じて前記放熱器に向かう風向を変化させることを特徴とする。
【００１４】
請求項６記載の発明は、記録ヘッドが搭載されるキャリッジ或いは記録ヘッドの放熱器のいずれかに取り付けられた冷却ファンを備え、前記放熱器の片寄った温度上昇の程度に応じて、この冷却ファンの前記放熱器に向かう風向を変化させることを特徴とする。
【００１５】
請求項７記載の発明は、請求項６記載のものにおいて、前記冷却ファンの前記放熱器に対する位置を変化させることを特徴とする。
【００１６】
請求項８記載の発明は、請求項６記載のものにおいて、前記冷却ファンの前記放熱器に対する角度を変化させることを特徴とする。
【００１７】
請求項９記載の発明は、請求項６記載のものにおいて、前記冷却ファンの吹出口に設けたルーバにより風向を変化させることを特徴とする。
【００１８】
請求項１０記載の発明は、記録ヘッドとプラテンとの間に搬送されたシートに、記録ヘッドの記録ワイヤを、インクリボンを介して打ち付けて、当該シートに画像を記録する記録装置において、記録ヘッドが搭載されるキャリッジ或いは記録ヘッドの放熱器のいずれかに取り付けられた冷却ファンと、この冷却ファンの前記放熱器に向かう風向を変化させる手段とを備えたことを特徴とする。
【００１９】
請求項１１記載の発明は、請求項１０記載のものにおいて、前記手段は、前記冷却ファンの前記放熱器に対する位置を変化させることを特徴とする。
【００２０】
請求項１２記載の発明は、請求項１０記載のものにおいて、前記手段は、前記冷却ファンの前記放熱器に対する角度を変化させることを特徴とする。
【００２１】
請求項１３記載の発明は、請求項１２記載のものにおいて、前記手段は、前記冷却ファンの吹出口に設けられて風向を変化させることを特徴とする。
【００２２】
請求項１４記載の発明は、請求項１０乃至１３のいずれか一項記載のものにおいて、前記手段は、前記放熱器の片寄った温度上昇の程度に応じて前記放熱器に向かう風向を変化させることを特徴とする。
【００２３】
【発明の実施の形態】
以下、図面を参照して、本発明の実施の形態について説明する。本発明の理解を容易とするために、一般的な記録装置について説明し、次いで、本発明にかかるリボン送りユニットについて詳述する。また、記録装置としては、オンキャリッジタイプの一般的なドットインパクトプリンタを例示する。
【００２４】
図１は、ドットインパクトプリンタのプリンタ本体を示す斜視図であり、図２は、図１のプリンタ本体を示す側断面図である。これらの図に示すように、ドットインパクトプリンタ１０は、記録ヘッドが備える多数の記録ワイヤを、インクリボン（共に図示せず）を介して記録用紙に押し付け、この記録用紙上にドットを形成することにより、文字を含む画像を印刷するものである。
【００２５】
ドットインパクトプリンタ１０は、記録装置本体としてのプリンタ本体１１と、プリンタ本体１１に装着されたプッシュトラクタユニット１２と、プリンタ本体１１の上方、下方の夫々を覆うアッパケース（不図示）及びロアケース（不図示）と、プリンタ本体１１の前方側に設置されてカットシートＫを案内するシート供給ガイド４３とを有している。このドットインパクトプリンタ１０にて用いられ得る記録用紙には、所定の長さに切断されたカットシートＫと、複数枚が連接された連続シートとがある。また、カットシートＫとしては、例えば単票紙、複写紙、ＯＨＰ（オーバヘッドプロジェクタ）シートまたはカットフィルムなどがある。
【００２６】
プリンタ本体１１は、本体フレームとしてのベースフレーム１４、リアフレーム１５、記録機構部としての記録ヘッド１８及びキャリッジ１９と、シート搬送機構部としてのプラテン２０、シート案内２５、第１搬送ローラ２１、第２搬送ローラ２２、第３搬送ローラ２３及び第４搬送ローラ２４を備えている。また、ベースフレーム１４およびリアフレーム１５の左端部には左サイドフレーム１６が立設固定され、右端部には右サイドフレーム１７が立設固定されている。左サイドフレーム１６と右サイドフレーム１７との間には、ロアキャリッジ軸２６とアッパキャリッジ軸２７との各々が所定距離だけ離れて架け渡されて回動可能に枢支されており、また、プラテン２０が架け渡されて回転自在に配設される共に、シート案内２５が固定配設されている。
【００２７】
図２に示すように、プッシュトラクタユニット１２は、連続シート（例えば連続紙）をシート搬送機構部へ供給するものであり、左右一対のトラクタ２８を有している。これらのトラクタ２８は、トラクタ駆動軸２９に回転一体かつ軸方向摺動自在に軸支されたトラクタ駆動プーリ（不図示）と、トラクタガイド軸３０に回転自在かつ軸方向に摺動自在に軸支されたトラクタ従動プーリ（不図示）と、トラクタ駆動プーリとトラクタ従動プーリとに巻き掛けられるトラクタベルト３１と、シート押さえ蓋３２とを備えている。
【００２８】
一対のトラクタ２８間の距離は、搬送すべき連続シート（連続紙）の幅寸法に応じて調整される。また、トラクタベルト３１の全外周には、複数本のピン３３が突設されており、これらのピン３３が、連続シートの幅方向両側に穿設された穴（不図示）に係合するようになっている。
【００２９】
シート搬送機構部にあっては、プラテン２０に対して、第１搬送ローラ２１及び第２搬送ローラ２２がプリンタ本体１１の前方側に、第３搬送ローラ２３及び第４搬送ローラ２４がプリンタ本体１１の後方側に各々配置されている。さらに、第１搬送ローラ２１と第２搬送ローラ２２とが、また、第３搬送ローラ２３と第４搬送ローラ２４とが、各々上下方向に配置されて対をなしている。
【００３０】
このうち、第１搬送ローラ２１及び第３搬送ローラ２３は、プラテン２０と共にシート案内２５の下方に配置され、第２搬送ローラ２２及び第４搬送ローラ２４がシート案内２５の上方に配置されている。
【００３１】
プラテン２０、第１搬送ローラ２１及び第３搬送ローラ２３の上部は、シート案内２５の上方に突出した状態となっている。また、シート案内２５におけるプリンタ本体１１の前方側には、シート案内２５との間でシートを保持するシート保持プレート３７が設けられている。プラテン２０、第１搬送ローラ２１、第２搬送ローラ２２、第３搬送ローラ２３及び第４搬送ローラ２４は、駆動輪列部３４により、図２の時計方向（ＣＷ）または反時計方向（ＣＣＷ）に回転駆動される。また、上述したトラクタベルト３１も同様に、駆動輪列部３４により時計方向または反時計方向に駆動される。
【００３２】
この駆動輪列部３４は、左サイドフレーム１６または右サイドフレーム１７のいずれか一方（図示例では、右サイドフレーム１７）に設置されるものであり、正転または逆転可能なシート供給モータ３５の駆動軸に固定されたモータピニオン３６を備えている。このモータピニオン３６からの駆動力が巻掛け伝動機構や歯車機構を介してプラテン２０、第１搬送ローラ２１、第２搬送ローラ２２、第３搬送ローラ２３、第４搬送ローラ２４及びプッシュトラクタユニット１２へ伝達される構成となっている。
【００３３】
カットシートＫは、プリンタ本体１１の前方側から手動供給された後、プラテン２０および第１搬送ローラ２１の時計方向（ＣＷ）の回転と、第２搬送ローラ２２の反時計方向（ＣＣＷ）の回転と、第３搬送ローラ２３の時計方向（ＣＷ）の回転と、第４搬送ローラ２４の反時計方向（ＣＣＷ）の回転とにより、プリンタ本体１１の前方から後方へ向かって矢印Ａ方向に搬送され、また、プラテン２０および第１搬送ローラ２１の反時計方向（ＣＣＷ）の回転と、第２搬送ローラ２２の時計方向（ＣＷ）の回転と、第３搬送ローラ２３の反時計方向（ＣＣＷ）の回転と、第４搬送ローラ２４の時計方向（ＣＷ）の回転とにより、プリンタ本体１１の後方から前方へ向かって矢印Ｂ方向に搬送される。他方、記録用紙として連続紙などの連続シートが用いられる場合、この連続シートは、プッシュトラクタユニット１２によりプリンタ本体１１の後方側から矢印Ｂ方向に供給された後、プラテン２０、第１搬送ローラ２１、第２搬送ローラ２２、第３搬送ローラ２３及び第４搬送ローラ２４により同方向（矢印Ｂ方向）に搬送される。これにより、カットシートＫ及び連続シートは、キャリッジ１９の主走査方向（後述）に直交する副走査方向に搬送される。
【００３４】
上述したキャリッジ１９は、ロアキャリッジ軸２６及びアッパキャリッジ軸２７に摺動自在に挿通されると共に、記録ヘッド１８が搭載されている。ロアキャリッジ軸２６及びアッパキャリッジ軸２７は、プラテン２０と平行に配置されており、これにより、キャリッジ１９は、これらプラテン２０、ロアキャリッジ軸２６及びアッパキャリッジ軸２７と軸方向と一致する主走査方向に走行（走査）するようになっている。
【００３５】
また、キャリッジ１９は、キャリッジ駆動モータ３８の正転または逆転により往復移動されるタイミングベルト３９に結合されている。従って、キャリッジ１９は、キャリッジ駆動モータ３８の正転または逆転により、タイミングベルト３９を介し、ロアキャリッジ軸２６及びアッパキャリッジ軸２７に案内されて、主走査方向における図１の左向き、または、右向きに走行する。ここで、キャリッジ駆動モータ３８は、シート供給モータ３５とともに例えばステッピングモータにて構成されている。
【００３６】
キャリッジ１９には、リボンカートリッジ装着部４０が設けられ、このリボンカートリッジ装着部４０に、インクリボン５０を収納したリボンカートリッジ５１が装着される。さらに、キャリッジ１９には、プラテン２０の前方周面に接して搬送される記録用紙（カットシートＫまたは連続シート）からインクリボン５０を保護するリボンマスクホルダ４１が設置されている。
【００３７】
また、インクリボン５０は、リボンカートリッジ装着部４０に設置されたリボン駆動軸（不図示）により、記録ヘッド１８に設けられた記録ワイヤの突出方向前方を移動可能に設けられている。一方、記録ヘッド１８は、キャリッジ１９と共に主走査方向に走行する間、記録ワイヤを突出させてインクリボン５０に打ち当て、このインクリボン５０のインクをプラテン２０の上方周面に接する記録用紙（カットシートＫ又は連続シート）に付着させて、この記録用紙に文字を含む画像を記録する。
【００３８】
記録ヘッド１８による記録動作は、キャリッジ１９が主走査方向左向き又は右向きに走行する間、記録ヘッド１８の記録ワイヤにより一行文の記録がなされ、この一行文の記録がなされる度に、記録用紙がカットシートＫの場合には、シート搬送機構部（プラテン２０、第１搬送ローラ２１、第２搬送ローラ２２、第３搬送ローラ２３及び第４搬送ローラ２４）が、また、記録用紙が連続シートの場合には、このシート搬送機構部及びプッシュトラクタユニット１２が、夫々記録用紙を所定長（通常、行間分）搬送させるといった動作が繰り返されることにより行われる。
【００３９】
以上が、一般的なドットインパクトプリンタ１０の構成である。本実施形態では、このドットインパクトプリンタ１０のうち、キャリッジ１９に搭載された記録ヘッド１８の冷却装置に主に特徴を有している。この記録ヘッド１８の冷却装置について以下に詳述する。
【００４０】
図３は、本発明の実施形態にかかる記録ヘッド１８の冷却装置の構成を概略的に示す図である。６０は冷却装置を示し、この冷却装置６０は、記録ヘッド１８の外周に配置された放熱器６１に取り付けられている。この放熱器６１は、例えば、アルミニウム押出型材で一体形成されており、可能な限り放熱面積を確保するように構成されている。１８Ｄは記録ヘッド１８のノーズである。
【００４１】
この冷却装置６０は、冷却ファン６２と、これを支持する一対のアーム６３，６４とを備え、各アーム６３，６４の基端６３Ａ，６４Ａは、ピン６５を介して、放熱器６１の側面にそれぞれ揺動自在に支持されている。一方のアーム６３の基端６３Ａの外面には、リング状のギア６６が固定され、このギア６６には、傘歯の歯車６７が噛み合い、この歯車６７は、駆動モータ６８のモータ軸６８Ａに固定されている。この冷却ファン６２は、図示を省略したファンモータ、羽根車等を内蔵し、当該羽根車により送風される冷却風の吹出口が、図中、冷却ファン６２の下面に形成されている。
【００４２】
そして、この冷却ファン６２は、駆動モータ６８を駆動させることにより、一対のアーム６３，６４、歯車６７並びにギア６６（これらが手段を構成する。）を介して、矢印Ａ方向に揺動自在であり、これが揺動された場合、冷却ファン６２の下面に形成された冷却風の吹出口の向き、即ち、冷却ファン６２の放熱器６１に向かう風向が変更される。
【００４３】
図４は、本実施形態による冷却方式を示す図である。記録ヘッド１８の記録ワイヤ１８Ａは複数本配置されており、この記録ワイヤ１８Ａに対応した数だけ、記録ヘッド１８のフレームコアにはコイル１８Ｂが巻かれている。ところで、プリンタによる記録内容によっては、一部の記録ワイヤ１８Ａが片寄って使用され、その結果、発熱部分となるコイル１８Ｂ周辺も片寄って一部が異常に高温になることが考えられる。
【００４４】
本実施形態では、記録ヘッド１８のフレーム１８Ｃの周辺に一対のサーミスタ７１，７２が配置され、サーミスタ７１，７２で検知される温度に応じて、冷却ファン６２の放熱器６１に向かう風向が変更される。
【００４５】
具体的には、サーミスタ７１の検出温度Ｔａが、サーミスタ７２の検出温度Ｔｂよりも大きい場合、冷却ファン６２が、図３に示す手段によって矢印Ｐ方向に揺動し、冷却ファン６２の放熱器６１に対する角度が変化し、最も高温Ｔａとなる部分が効果的に冷却される。また、サーミスタ７１の検出温度Ｔａが、サーミスタ７２の検出温度Ｔｂよりも小さい場合、冷却ファン６２が、上記手段によって矢印Ｑ方向に揺動し、冷却ファン６２の放熱器６１に対する角度が変化し、最も高温Ｔｂとなる部分が効果的に冷却される。
【００４６】
上記構成では、発熱が最大となるポイントに、冷却ファン６２の送風を供給できるため、効果的な冷却がおこなえると共に、発熱源となるコイル１８Ｂの最高温度を、従来の構成時よりも低く抑えることができ、これにより、コイル焼損の危険度を低減することができる。
【００４７】
また、この種のプリンタでは、コイル焼損を回避するため、ヘッドホット時には、周波数をダウンさせたり、非印字時間を拡大させたりしていたが、上記構成では、この制御への突入頻度を下げることができ、その分だけスループットを向上させることができる。
【００４８】
なお、サーミスタを２個以上配置し、放熱器６１における温度分布を細かく監視し、この監視温度に応じて、冷却ファン６２の放熱器６１に対する角度を細かく変化させることは可能である。
【００４９】
図５は、別の実施形態を示す。
【００５０】
上記実施形態では、冷却ファン６２の放熱器６１に対する角度を変化させたが、本実施形態では、冷却ファン６２の放熱器６１に対する位置を変化させる。図５において、この冷却装置７０は、駆動モータ７２のモータ軸７２Ａに固定された駆動プーリ７３と、これと対をなす従動プーリ７４と、各プーリ７３，７４間に掛け渡された無端駆動ベルト７５とを備え、この駆動ベルト７５に止め具７６を介して冷却ファン６２を連結して構成されている。この冷却ファン６２のケースには横長の溝７８が形成され、この溝７８には、ガイド板７９の折り曲げた上辺７９Ａが嵌まり合い、この上辺７９Ａが溝７８に案内されて、冷却ファン６２が矢印Ｂ方向に往復動自在に構成される。
【００５１】
この冷却ファン６２は、上記構成と同様に、図示を省略したファンモータ、羽根車等を内蔵し、当該羽根車により送風される冷却風の吹出口が、図中、冷却ファン６２の下面に形成される。
【００５２】
この構成においても、図４の説明時に使用した、例えば一対のサーミスタ７１，７２等が使用される。そして、サーミスタ７１，７２で検知される温度に応じて、高温部を効果的に冷却すべく、冷却ファン６２がベルト駆動によって、放熱器６１の上面と略平行方向に往復移動される。
【００５３】
本構成においても、発熱が最大となるポイントに、冷却ファン６２の送風を供給できるため、効果的な冷却がおこなえると共に、発熱源となるコイル１８Ｂの最高温度を、従来の構成時よりも低く抑えることができ、これにより、コイル焼損の危険度を低減することができる。
【００５４】
図６は、更に別の実施形態を示す。
【００５５】
本実施形態では、冷却ファン６２の吹出口に複数の風向変更羽根８１を配置し、複数の風向変更羽根８１の揺動角度を変化させ、放熱器６１に向かう風向を変化させる。この場合、冷却ファン６２は取り付けステー８０を介して放熱器６１に固定される。各風向変更羽根８１の基端８１Ａは、ピン８２を介して、冷却ファン６２の固定部に支持されると共に、ピン８３を介して、スライドバー８４に支持される。このスライドバー８４は横方向に延出し、この延出端の上面にはラック溝８５が形成され、このラック溝８５にはピニオンギア８６が噛み合い、このピニオンギア８６は駆動モータ８７のモータ軸に固定される。
【００５６】
この機構では、モータ８７が正逆回転すると、スライドバー８４が矢印Ｃ方向に往動或いは復動する。これに応じて、２つのピンで支持された各風向変更羽根８１が、基端側を中心にして先端側を矢印Ｄ方向に揺動させ、これにより、放熱器６１に向かう風向を変化させる。
【００５７】
この構成においても、図４の説明時に使用した、例えば一対のサーミスタ７１，７２等が使用される。そして、サーミスタ７１，７２で検知される温度に応じて、高温部を効果的に冷却すべく、各風向変更羽根８１の角度が任意の角度に変更される。本構成においても、発熱が最大となるポイントに、冷却ファン６２の送風を供給できるため、効果的な冷却がおこなえると共に、発熱源となるコイル１８Ｂの最高温度を、従来の構成時よりも低く抑えることができ、コイル焼損の危険度を低減することができる。
【００５８】
なお、本実施形態は、あくまでも例示であり、本発明の範囲内で任意に変形可能である。例えば、本実施形態では、冷却ファン６２を放熱器６１に取り付けていたが、これに限定されるものではなく、冷却ファン６２をキャリッジ１９に取り付けたものであってもよい。
【００５９】
【発明の効果】
以上説明したように、本発明によれば、記録ヘッドにおける異常に高温になった部分を効率よく冷却することができ、例えば、発熱源となるコイルの最高温度を、従来の構成時よりも低く抑えることができ、コイル焼損の危険度を低減することができる。
【図面の簡単な説明】
【図１】ドットインパクトプリンタの構成を示す斜視図である。
【図２】ドットインパクトプリンタの構成を示す側断面図である。
【図３】本発明の一実施形態にかかる冷却装置の構成を概略的に示す図である。
【図４】記録ヘッドの冷却方式を示す図である。
【図５】別の実施形態を示す図である。
【図６】更に別の実施形態を示す図である。
【符号の説明】
１０  ドットインパクトプリンタ
１８  記録ヘッド
１８Ａ  記録ワイヤ
１８Ｂ  コイル
１８Ｃ  フレーム
１８Ｄ  ノーズ
１９  キャリッジ
２０  プラテン
６０  冷却装置
６１  放熱器
６２  冷却ファン
７１，７２  サーミスタ
【図１】
2004255652.tif 000003
【図２】
2004255652.tif 000004
【図３】
2004255652.tif 000005
【図４】
2004255652.tif 000006
【図５】
2004255652.tif 000007
【図６】
2004255652.tif 000008